(57)【要約】      （修正有）【課題】清掃を容易に行うことができる階段昇降補助具を提供する。【解決手段】階段昇降補助具は、階段の踏板に載置される下板２０と、下板２０の上面との間に空間を形成し、利用者が補助踏板として利用する踏板３０と、空間の奥手側に配置され、下板２０と踏板３０とを開閉可能に連結する蝶番４０と、空間の手前側に配置され、下板２０と踏板３０とを離間した状態に維持するストッパー５０と、を備え、下板２０の底面から踏板３０の上面までの高さを階段の蹴上の高さよりも低くし、ストッパー５０を踏板３０に設ける。【選択図】図３
0003232079.tif 000002
【実用新案登録請求の範囲】
【請求項１】
階段の踏板に載置される下板と、
前記下板の上面との間に空間を形成し、利用者が補助踏板として利用する踏板と、
前記空間の奥手側に配置され、前記下板と前記踏板とを開閉可能に連結する蝶番と、
前記空間の手前側に配置され、前記下板と前記踏板とを離間した状態に維持するストッパーと、を備え、
前記下板の底面から前記踏板の上面までの高さを前記階段の蹴上の高さよりも低くし、
前記ストッパーを前記踏板に設けたことを特徴とする階段昇降補助具。
【請求項２】
前記踏板は、前記ストッパーが前記下板の上面に当接する閉止状態から前記蝶番を介して開放状態に変換されると、前記空間の奥手側となる端部が前記下板の上面に当接することにより、開放角度が制限されることを特徴とする請求項１に記載の階段昇降補助具。
【考案の詳細な説明】
【技術分野】
【０００１】
本考案は、高齢者のために階段の上り下りを助けるための階段昇降補助具に関する。
【背景技術】
【０００２】
既存の階段の蹴上は、健常者を基本に設計されており、高齢者にとって、階段の各段の蹴上が高くて負担が大きいものである。 
上記のような各段の段差の負担を軽減するものとして、階段の上り下りの補助を行うための階段昇降補助具がある。
【０００３】
このような階段昇降補助具として、既設の階段に簡単に設置して、不要な時には、簡単に撤去できる階段補助ステップが提案されている。この階段補助ステップにおいては、足載せ面を上面に有する補助ステップ本体の下部に階段の踏み面上に対する載置部を設け、補助ステップ本体は、上面に足載せ面を形成する上側部材と、下面に載置部を形成する下側部材とで構成するとともに、下側部材に対して上側部材を高さ変更調整自在に一体連結した構成となっている（例えば、特許文献１参照）。 
なお、このような階段昇降補助具にあっては、持ち運び等を容易にするため、内部を中空にしたり、上側部材と下側部材との間に開放空間を設けたりするようにしている。
【先行技術文献】
【特許文献】
【０００４】
【特許文献１】特開２０１４−２４０６００号公報
【考案の概要】
【考案が解決しようとする課題】
【０００５】
しかしながら、上側部材と下側部材との間に開放空間が設けられた構成においては、この開放空間に、埃や塵などのごみが溜まって、清掃がし難いという問題があった。
【０００６】
このような従来の問題を解決するためになされたもので、清掃を容易に行うことができる階段昇降補助具を提供することを課題とする。
【課題を解決するための手段】
【０００７】
本考案に係る階段昇降補助具は、階段の踏板に載置される下板と、前記下板の上面との間に空間を形成し、利用者が補助踏板として利用する踏板と、前記空間の奥手側に配置され、前記下板と前記踏板とを開閉可能に連結する蝶番と、前記空間の手前側に配置され、前記下板と前記踏板とを離間した状態に維持するストッパーと、を備え、前記下板の底面から前記踏板の上面までの高さを、前記階段の蹴上の高さよりも低くし、前記ストッパーを前記踏板に設けたことを特徴とする。
【０００８】
また、前記踏板は、前記ストッパーの下面が前記下板の上面に当接する閉止状態から前記蝶番を介して開放状態に変換されると、前記空間の奥手側となる端部が前記下板の上面に当接することにより、開放角度が制限されることを特徴とする。
【考案の効果】
【０００９】
本考案によれば、清掃を容易に行うことができる階段昇降補助具を提供することができる。
【図面の簡単な説明】
【００１０】
【図１】本考案の階段昇降補助具の使用例を示す図である。
【図２】本実施の形態における階段昇降補助具の概略を示す斜視図である。
【図３】階段昇降補助具の開放状態を示す斜視図である。
【図４】階段昇降補助具の蝶番を説明するための開放状態の斜視図である。
【図５】階段昇降補助具の開放時の階段との位置関係を示す側面図である。
【考案を実施するための形態】
【００１１】
以下、本考案の実施の形態について、図面を参照しながら具体的に説明する。 
図１は、本考案の階段昇降補助具の使用例を示す図である。また、図２は、本実施の形態における階段昇降補助具の概略を示す斜視図である。また、図３は、階段昇降補助具の開放状態を示す斜視図である。また、図４は、階段昇降補助具の蝶番を説明するための開放状態の斜視図である。
【００１２】
（階段昇降補助具１０の構成）
図１に示すように、階段昇降補助具１０は、手摺り６が設けられる階段１の踏板２の上に載置されて使用される。また、階段昇降補助具１０は、階段１の各段に載置される。なお、階段１の一段目の昇降補助に対しては、階段１に隣接される床面３に階段昇降補助具１０が載置される。
また、図２に示すように、階段昇降補助具１０は、下板２０と、踏板３０と、蝶番４０と、ストッパー５０と、を備えている。
【００１３】
（下板２０）
図１及び図２に示すように、下板２０は、階段昇降補助具１０の土台となり、階段１の踏板２に載置されて、両面テープ６０で固定されるようになっている。また、下板２０は、略矩形状の厚みのある板状部材であり、例えば、幅が階段１の踏板２の幅（７０ｃｍ）よりも狭い幅（１４ｃｍ）で、長さが踏板２の奥行（２５ｃｍ）よりやや短い長さ（２２ｃｍ）である。なお、上記したサイズは、あくまでも例示であって、上記寸法に限定するものではない。
【００１４】
（踏板３０）
図２及び図３に示すように、踏板３０は、下板２０の上方に配置されることで下板２０の上面との間に空間を形成し、利用者に補助踏板として利用されるものである。また、踏板３０は、略矩形状の厚みのある板状部材であり、下板２０と略同一形状、略同一寸法のものである。 
また、下板２０の底面から、踏板３０の上面までの高さは、階段１の蹴上４の高さよりも低く、例えば、階段１の蹴上４の高さの略１／２の高さである。なお、この高さについても、あくまでも例示であって、上記寸法に限定するものではない。
【００１５】
なお、踏板３０は、階段の手前側となる端部の両角部が丸面になっている。これにより、利用者が、階段昇降補助具１０の角に足をぶつけ、怪我などをすることを防止することができる。
また、踏板３０の上部には、階段の手前側となる端部側に３つの滑り止め溝３１ａ、３１ｂ、３１ｃが平行に形成されている。これにより、利用者が、階段昇降補助具１０の利用時に足を滑らせてしまうことを防止することができる。
【００１６】
（蝶番４０）
図２及び図３に示すように、蝶番４０は、下板２０と踏板３０との間に形成される空間の奥手側（階段の奥手側）に配置され、下板２０と踏板３０とを開閉可能に連結する。
また、図４に示すように、蝶番４０は、下側蝶番４１と、上側蝶番４２と、２つのリベット４３ａ、４３ｂと、を有している。
【００１７】
下側蝶番４１は、矩形状の平板面と、その両端に突出部とを有する略コ字状となっている。また、下側蝶番４１は、２つの木ネジ４４ａ、４４ｂによって、平板面が下板２０の上面に取り付けられている。 
上側蝶番４２は、矩形状の平板面と、その両端に突出部とを有する略コ字状となっており、下側蝶番４１と同一の形状となっている。また、上側蝶番４２は、２つの木ネジ４５ａ、４５ｂによって、平板面が踏板３０の下面に取り付けられている。
【００１８】
２つのリベット４３ａ、４３ｂは、それぞれ下側蝶番４１と、上側蝶番４２とを軸支している。
具体的には、リベット４３ａは、下側蝶番４１の突出部を外側に、上側蝶番４２の突出部を内側にして、両者間を貫通して回転可能に支持している。また、リベット４３ｂは、下側蝶番４１の突出部を内側に、上側蝶番４２の突出部を外側にして、両者間を貫通して回転可能に支持している。
これにより、下板２０と踏板３０は、蝶番４０によって開閉可能に連結されている。
【００１９】
（ストッパー５０）
図２及び図３に示すように、ストッパー５０は、下板２０と踏板３０との間に形成される空間の手前側（階段の手前側）に配置され、下板２０と踏板３０とを離間させた状態に維持するものである。具体的には、ストッパー５０は、踏板３０の下面であって階段の手前側となる端部寄りの位置に取り付けられている。なお、ストッパー５０の下面は、下板２０の上面に当接するが、離反可能となっているので、蝶番４０を介して下板２０と踏板３０とが開いた状態になると、下板２０から離れることとなる。
【００２０】
このように、階段昇降補助具１０は、下板２０と踏板３０との間に空間が形成されているため、下板２０と踏板３０との間に空間が無く、全てが詰まった状態よりも軽量化することが可能となる。
【００２１】
また、階段昇降補助具１０は、蝶番４０を介して下板２０と踏板３０とを閉じたり、開いたりすることができる。したがって、階段昇降補助具１０を利用する場合には、下板２０と踏板３０とを閉じ、階段１の踏板２と平行となった踏板３０の上面を補助踏板とするようになっている。そのため、手摺り６を利用して階段１を昇降している高齢者が階段１の昇降を容易に行うことができる補助具となる。
【００２２】
また、階段昇降補助具１０は、ストッパー５０が踏板３０の下部に設けられているため、踏板３０を上方に持ち上げることにより、踏板３０と共にストッパー５０を上方に移動させることができる。したがって、清掃の際に踏板３０を開くことで、下板２０の上面の手前側（蝶番４０が取り付けられていない側）が平面となるので、より清掃を容易に行うことができる。
【００２３】
次に、階段昇降補助具１０の踏板３０を開いたときの階段１との位置関係について、説明する。
図５は、階段昇降補助具１０の開放時の階段１との位置関係を示す側面図である。
【００２４】
図５に示すように、階段昇降補助具１０は、例えば、踏板３０の手前側を上方に持ち上げることにより、下板２０と踏板３０との手前側を開放させることができる。そして、踏板３０の手前側をさらに上方に持ち上げると、踏板３０の奥側（蝶番４０がある側）の下部３０ａが、下板２０の奥側（蝶番４０がある側）の上部２０ａに当接することで、開放角度が制限される。
【００２５】
このとき、階段昇降補助具１０の踏板３０の上面は、階段昇降補助具１０が載置されている階段１の上段の踏板２（段鼻５）には到達していない。すなわち、階段昇降補助具１０の踏板３０は、階段１の段鼻５等に到達する前に開放が停止されることになる。
【００２６】
したがって、階段昇降補助具１０は、下板２０と踏板３０とを開放させる際に、特に意識せずに開放させても、所定の角度で開放が停止され、不用意に階段１の一部に接触させてしまうことを防止できる。また、下側蝶番４１と上側蝶番４２とを軸支するリベット４３ａ、４３ｂの締結力によって下側蝶番４１と上側蝶番４２との間に摩擦抵抗を生じさせ、踏板３０が自重で閉じることを規制しているため、踏板３０を持っていなくても、所定の角度で停止し、かつ、清掃を容易に行うことができる。
【００２７】
以上のように、本実施の形態の階段昇降補助具１０によれば、下板２０と踏板３０との間に空間を設けたことで、重量を軽減した持ち運びを容易としながらも、下板２０と踏板３０とを開放させて清掃を容易に行うことができる。
また、階段昇降補助具１０は、踏板３０を開放させると、踏板３０の一端が所定の角度で下板２０の一端と接触して、所定の開放角度で停止させるので、不用意に階段１の上段の段鼻５に接触させてしまうことを防止することができる。
【符号の説明】
【００２８】
１  階段
２  踏板
３  床面
４  蹴上
５  段鼻
１０  階段昇降補助具
２０  下板
３０  踏板
３１ａ、３１ｂ、３１ｃ  滑り止め溝
４０  蝶番
４１  下側蝶番
４２  上側蝶番
４３ａ、４３ｂ  リベット
４４ａ、４４ｂ  木ネジ
４５ａ、４５ｂ  木ネジ
５０  ストッパー
【図１】
0003232079.tif 000003
【図２】
0003232079.tif 000004
【図３】
0003232079.tif 000005
【図４】
0003232079.tif 000006
【図５】
0003232079.tif 000007